(57)【要約】【課題】  冬期に屋内が暖房されていても、他室のスペースを奪うことなく食品類を保管でき、しかも、食品類の保管や取出しを屋外に出ずに行うことができるようにする。【解決手段】  保冷室１が備えられ、該保冷室１は、キッチン１等の他室との間を仕切る仕切り壁３と外壁４とで周囲を囲まれ、仕切り壁３には保冷室１とキッチン１との間を断熱する断熱材が入れられ、該断熱材入り仕切り壁３にキッチン１からのアクセスを可能にする開閉可能な開口部１０，８…が備えられている。また、外壁４部分に自然換気口などが備えられているとよい。【選択図】      図１
2005068942.tif 000002
【特許請求の範囲】
【請求項１】
保冷室が備えられ、該保冷室は、他室との間を仕切る仕切り壁と外壁とで周囲を囲まれ、該仕切り壁には保冷室と他室との間を断熱する断熱材が入れられ、該仕切り壁に他室からのアクセスを可能にする開閉可能な開口部が備えられていることを特徴とする保冷室付き住宅。
【請求項２】
保冷室内の空気を屋外の空気と入れ換える換気手段が備えられている請求項１に記載の保冷室付き住宅。
【請求項３】
前記他室がキッチンである請求項１又は２に記載の保冷室付き住宅。
【請求項４】
前記保冷室の外壁部分に開閉可能な開口部が備えられ、屋外から該開口部を通じて保冷室内にアクセスできるようになされている請求項１乃至３のいずれか一に記載の保冷室付き住宅。
【発明の詳細な説明】
【技術分野】
【０００１】
本発明は、保冷室付き住宅に関する。
【背景技術】
【０００２】
住宅では、冬期に屋内が暖房で暖められることから、食品類を、暖房の効かない玄関や洗面室、廊下などに保管したり、また、屋外に保管することがしばしば行われている。
【発明の開示】
【発明が解決しようとする課題】
【０００３】
しかしながら、玄関や洗面室、廊下はそもそも食品の保管場所ではなく、食品を保管することによってスペースを狭めてしまい、玄関等の本来の機能が損なわれてしまいやすいという問題がある。
【０００４】
また、屋外への保管は、食品類の保管や取出しを屋外に出て行わなければならず、厄介であると共に、屋外の冷たい風に当たって風邪をひいてしまうおそれがある。
【０００５】
本発明は、上記のような問題点に鑑み、冬期に屋内が暖房されていても、他室のスペースを奪うことなく食品類を保管でき、しかも、食品類の保管や取出しを屋外に出ずに行うことができるようにすることを課題とする。
【課題を解決するための手段】
【０００６】
上記の課題は、保冷室が備えられ、該保冷室は、他室との間を仕切る仕切り壁と外壁とで周囲を囲まれ、該仕切り壁には保冷室と他室との間を断熱する断熱材が入れられ、該仕切り壁に他室からのアクセスを可能にする開閉可能な開口部が備えられていることを特徴とする保冷室付き住宅によって解決される。
【０００７】
この住宅では、保冷室が備えられているから、この保冷室に食品類を保管することができ、他室のスペースを奪うことがない。しかも、この保冷室は、他室との間を仕切る仕切り壁に、保冷室と他室との間を断熱する断熱材が入れられているので、保冷室が他室の暖房空気によって暖められてしまうことがなく、食品類を衛生的に保管することができる。加えて、保冷室は、そのような断熱材入り仕切り壁と外壁とで囲まれているから、保冷室を囲むための断熱材入り仕切り壁を少なくすることができ、保冷室をコスト的に有利に形成することができる。更に、仕切り壁に他室からのアクセスを可能にする開閉可能な開口部が備えられているので、保冷室に対するアクセスを屋外に出ずに屋内において行うことができ、冬期の寒い夜間に外の風に当たって風邪をひいてしまうというようなこともない。
【０００８】
保冷室内の空気を屋外の空気と入れ換える換気手段が備えられている場合は、外気を利用して保冷室を経済的に保冷することができる。換気手段は、外壁側に設けられた開口部であってもよいし、外壁側に設けられた換気用ファンであってもよいし、ダクトとファンによるものであってもよい。
【０００９】
前記他室がキッチンである場合は、キッチンから保冷室へのアクセスを容易に行え、調理やその準備を能率良く行っていくことができる。
【００１０】
前記保冷室の外壁部分に開閉可能な開口部が備えられ、屋外から該開口部を通じて保冷室内にアクセスできるようになされている場合は、購入してきた食品類を屋内に入ることなく屋外から直接保冷室に保管することができる。
【発明の効果】
【００１１】
本発明は、以上のとおりのものであるから、冬期に屋内が暖房されていても、他室のスペースを奪うことなく食品類を保管でき、しかも、食品類の保管や取出しを屋外に出ずに行うことができる。
【発明を実施するための最良の形態】
【００１２】
次に、本発明の実施最良形態を図面に基づいて説明する。
【００１３】
図１に示す第１実施形態の保冷室付き住宅において、１は他室としてのキッチン、２は保冷室であり、保冷室２は、キッチン１との間を仕切り壁３で仕切られ、仕切り壁３にはグラスウールや発泡樹脂などによる断熱材が入れられており、周囲をこの断熱材入り仕切り壁３と外壁４とで囲まれている。そして、保冷室２に面する外壁４の部分には、保冷室２内の空気を外気と交換する換気手段としての換気口５が設けられている。換気にファンを用いてもよいが、その必要がない場合には、自然換気で換気するようにしてよい。
【００１４】
保冷室２は、キッチン１側の収納部６…と、反キッチン１側の土間部７とに区画されており、断熱材入り仕切り壁３には、収納部６…内に保管した食品類をキッチン１から出し入れするための開閉可能な開口部８…が設けられている。
【００１５】
また、土間部７の先には回り段９が設けられ、断熱材入り仕切り壁３に設けられた人出入り用開口部１０を通じて、保冷室２の土間部７とキッチン１とを人が行き来できるようになされている。
【００１６】
更に、土間部７に面する外壁４の部分にも人出入り用開口部１１が設けられると共に、土間部７と収納部６とを仕切る仕切り壁１３に、食品類を出し入れするための開閉可能な開口部１２…が設けられ、購入してきた食品類を、屋外１４から土間部７に入り、収納部６内に収納することができるようになされている。この人出入り用開口部１１を自然換気手段として用いてもよいが、防犯上、これとは別に上記のような換気口５を備えさせるようにするのが好ましい。換気口５は図示するように外壁４に設けられていてもよいし、開口部１１に設置される建具に備えられていてもよい。
【００１７】
上記の住宅では、保冷室２の収納部６や土間部７に食品類を保管でき、そのため、玄関や洗面室、廊下などの他室のスペースを奪わなくてすむ。しかも、保冷室２は、キッチン１との間を仕切る仕切り壁３に断熱材が入れられているので、保冷室２がキッチン１の暖房空気や調理熱によって暖められてしまうことがなく、保冷室２内の食品類を衛生的に保管でき、保冷室の冷気がキッチン１に伝わることもない。更に、保冷室２は、断熱材入り仕切り壁３と外壁４とで囲まれているから、保冷室２を囲むための断熱材入り仕切り壁３が少なくてすみ、保冷室２をコスト的に有利に形成することができる。更に、仕切り壁３にキッチン１からのアクセスを可能にする開閉可能な開口部１０，８…が備えられているので、保冷室２内に保管した食品類の出し入れを屋外１４に出ずに屋内において行うことができ、冬期の寒い夜間に外の風に当たって風邪をひいてしまうこともない。
【００１８】
また、外壁４の部分には換気口５や人出入り用開口部１１が備えられているので、屋外の冷気を利用して保冷室２を経済的に保冷することができるし、保冷室２がキッチン１に隣接して備えられているので、キッチン１から保冷室２へのアクセスを開口部１０，８…を通じて容易に行え、調理やその準備を能率良く行うことができる。また、保冷室２の外壁４部分には開閉可能な人出入り用開口部１１が備えられ、屋外からこの開口部１１を通じて保冷室２の土間部７に入り、土間部７と収納部６との間を仕切る壁１３の開閉可能な開口部１２…を通じて食品類の収納を行うことができるようになされているので、購入してきた食品類をキッチン１に入ることなく、屋外から直接保冷室２の土間部７や収納部６に保管することができ、保管終了後は屋外に出ることなく、そのままキッチン１に入ることができる。
【００１９】
図２に示す第２実施形態の住宅では、保冷室２が、土間部のない収納部６…のみのものからなって簡素化されており、また、保冷室２へのアクセスはキッチン１からの食品類の出し入れに限定され、保冷室２内にはキッチン１からも屋外１４からも人が出入りできる構造にはなっていない。そして、保冷室２に面する外壁４部分には、換気手段としての、給気口１６と排気口１７とが設けられ、排気口１７には排気ファン１８が備えられ、保冷室２内が屋外１４の空気と強制換気されるようになされている。その他は上記の実施形態と概ね同じである。なお、このような構造において、屋外１４から保冷室２に対して食品類の出し入れを行うための人出入り不能で開閉可能な開口部を外壁４部分に備えさせるようにしてもよい。
【００２０】
以上に、本発明の実施形態を示したが、本発明はこれに限られるものではなく、発明思想を逸脱しない範囲で各種の変更が可能である。例えば、上記の実施形態では、キッチン１を他室とした場合を示しているが、他室はダイニングやリビングなどであってもよい。保冷室を階上に備えさせる場合には、階上の居室等であってもよい。また、住宅は、戸建てのものであってもよいし、マンションなどの集合住宅であってもよい。また、上記の実施形態では、保冷室を換気で保冷する場合を示しているが、ヒートポンプ空調機などを用いて保冷するようにしてもよい。
【図面の簡単な説明】
【００２１】
【図１】第１実施形態の保冷室付き住宅を示す間取り平面図である。
【図２】第２実施形態の保冷室付き住宅を示す間取り平面図である。
【符号の説明】
【００２２】
１…キッチン（他室）
２…保冷室
３…断熱材入り仕切り壁
４…外壁
５…換気口（換気手段）
８…アクセス用開口部
１０…アクセス用開口部
１１…アクセス用開口部
１４…屋外
１６…給気口（換気手段）
１７…排気口（換気手段）
１８…排気ファン（換気手段）
【図１】
2005068942.tif 000003
【図２】
2005068942.tif 000004